(57)【要約】【課題】コンピュータ上の操作などを極力必要とせず、簡単かつ直感的な操作によって動画を生成する。【解決手段】動画を構成する背景画３１、画像パーツ３２〜３４及び画像パーツの移動経路が記載された専用用紙２０の画像を保存し、該画像から背景画像４１、画像パーツ４２〜４４及び移動経路画像４５を分離し、移動経路画像４５に示された画像パーツ４２〜４４の移動経路を移動経路解析手段によって解析し、解析された移動経路に従って画像パーツ４２〜４４が移動するように各コマの画像を合成し、合成画像から合成動画を生成する。【選択図】図１
2010124115.tif 000002
【特許請求の範囲】
【請求項１】
動画を構成する画像パーツと前記画像パーツの移動経路とが視認可能な静止画として記録された記録媒体から前記静止画を読み取るための読み取り手段と、前記静止画から移動経路を解析する移動経路解析手段と、前記移動経路解析手段によって解析された移動経路に従って前記画像パーツが移動するように合成動画を生成する動画生成手段と、を備えたことを特徴とする動画生成システム。
【請求項２】
請求項１の動画生成システムにおいて、前記移動経路解析手段は、前記画像パーツと対応づけられたシンボルと、前記移動経路を示す符号と、に基づいて前記画像パーツの移動経路を解析することを特徴とする動画生成システム。
【請求項３】
請求項２の動画生成システムにおいて、移動経路解析手段が夫々異なる色で示された前記シンボルを認識する認識手段を備えたことを特徴とする動画生成システム。
【請求項４】
請求項２の動画生成システムにおいて、前記移動経路解析手段が二次元コードで示された前記シンボルを認識する認識手段を備えたことを特徴とする動画生成システム。
【請求項５】
請求項２の動画生成システムにおいて、前記移動経路解析手段が手書き文字で示された前記シンボルを認識する認識手段を備えたことを特徴とする動画生成システム。
【請求項６】
請求項２乃至５の何れか一項の動画生成システムにおいて、前記移動経路解析手段が解析した前記移動経路を示す符号の種類に応じて、前記動画生成手段が前記シンボルの移動態様を変化させて合成動画を生成することを特徴とする動画生成システム。
【請求項７】
請求項１乃至６の何れか一項の動画生成システムにおいて、前記合成動画をコマ毎に出力する出力手段を備えたことを特徴とする動画生成システム。
【請求項８】
請求項１乃至７の何れか一項の動画生成システムを備えた画像形成装置。
【請求項９】
動画を構成する画像パーツと前記画像パーツの移動経路とが視認可能な静止画として記録された記録媒体から前記静止画を読み取るための読み取りステップと、前記静止画から移動経路を解析する移動経路解析ステップと、前記移動経路解析ステップによって解析された移動経路に従って前記画像パーツが移動するように合成動画を生成する動画生成ステップと、を有することを特徴とする動画生成方法。
【請求項１０】
請求項９の動画生成方法をコンピュータに実行させるためのプログラム。
【発明の詳細な説明】
【技術分野】
【０００１】
本発明は、簡単な方法を用いて入力された静止像から、動画を生成する動画生成システムに関する。
【背景技術】
【０００２】
プレゼンテーションや商品の説明などでは、その内容を理解しやすくし、また記憶に残りやすくするために、視聴覚に訴えることが多い。近年では視覚的効果を高めるために、図表のみならず動画が頻繁に用いられる。例えば、画像などのオブジェクトの移動や出現、消滅をプレゼンテーションソフトで制御して見せたりする。
このように動画を作成するニーズは高く、例えば特許文献１には、動画に対して任意の画像を簡単に合成する発明が記載されている。
【特許文献１】特開２００１−１９７３６６公報
【発明の開示】
【発明が解決しようとする課題】
【０００３】
しかし、プレゼンテーションソフトによる動画の作成は簡単なものではない。また、特許文献１に記載の方法では、動画上に合成する画像の軌跡をポインティングデバイスで指定する等、コンピュータの操作が要求されるため、ある程度の専門的知識が必要とされる。
本発明は上述の事情に鑑みてなされたものであり、簡単かつ直観的な操作から動画を作成するための動画生成システムであり、具体的にはコンピュータ上の操作などが極力必要とされず、コンピュータ等に対する専門的知識がない人でも、容易に操作が可能な動画生成システムを提供することを目的とする。
【課題を解決するための手段】
【０００４】
上記の課題を解決するために、請求項１に記載の発明は、動画を構成する画像パーツと前記画像パーツの移動経路とが視認可能な静止画として記録された記録媒体から前記静止画を読み取るための読み取り手段と、前記静止画から移動経路を解析する移動経路解析手段と、前記移動経路解析手段によって解析された移動経路に従って前記画像パーツが移動するように合成動画を生成する動画生成手段と、を備えた動画生成システムを特徴とする。
請求項２に記載の発明は、請求項１の動画生成システムにおいて、前記移動経路解析手段は、前記画像パーツと対応づけられたシンボルと、前記移動経路を示す符号と、に基づいて前記画像パーツの移動経路を解析することを特徴とする。
請求項３に記載の発明は、請求項２の動画生成システムにおいて、移動経路解析手段が夫々異なる色で示された前記シンボルを認識する認識手段を備えたことを特徴とする。
【０００５】
請求項４に記載の発明は、請求項２の動画生成システムにおいて、前記移動経路解析手段が二次元コードで示された前記シンボルを認識する認識手段を備えたことを特徴とする。
請求項５に記載の発明は、請求項２の動画生成システムにおいて、前記移動経路解析手段が手書き文字で示された前記シンボルを認識する認識手段を備えたことを特徴とする。
請求項６に記載の発明は、請求項２乃至５の何れか一項の動画生成システムにおいて、前記移動経路解析手段が解析した前記移動経路を示す符号の種類に応じて、前記動画生成手段が前記シンボルの移動態様を変化させて合成動画を生成することを特徴とする。
【０００６】
請求項７に記載の発明は、請求項１乃至６の何れか一項の動画生成システムにおいて、前記合成動画をコマ毎に出力する出力手段を備えたことを特徴とする。
請求項８に記載の発明は、請求項１乃至７の何れか一項の動画生成システムを備えた画像形成装置を特徴とする。
請求項９に記載の発明は、動画を構成する画像パーツと前記画像パーツの移動経路とが視認可能な静止画として記録された記録媒体から前記静止画を読み取るための読み取りステップと、前記静止画から移動経路を解析する移動経路解析ステップと、前記移動経路解析ステップによって解析された移動経路に従って前記画像パーツが移動するように合成動画を生成する動画生成ステップと、を有する動画生成方法を特徴とする。
請求項１０に記載の発明は、請求項９の動画生成方法をコンピュータに実行させるためのプログラムを特徴とする。
【発明の効果】
【０００７】
本発明によれば、専用用紙に背景、画像パーツの絵を記入するか又は写真を貼付し、さらに画像パーツの移動経路を記入するだけで、簡単に合成動画を作成できる。また、読み取り手段を用意すれば、動画作成に必要なデータを紙媒体で持ち運ぶことも可能となる。
【発明を実施するための最良の形態】
【０００８】
以下、本発明の実施形態を詳細に説明する。
［専用用紙］
図１は、動画を生成するために必要な情報を記入する専用用紙２０（記録媒体）を示す図である。専用用紙２０は、動画の背景を記入する背景枠２１と、動画に登場する画像パーツ（キャラクター等）を記入する画像パーツ枠２２と、画像パーツの移動経路を記入する移動経路枠２３とを備える。画像パーツ枠２２には、複数の画像パーツが記入できるように、複数の画像パーツ枠２２ａ、２２ｂ、２２ｃ…が用意されている。移動経路枠２３には、動画の複数の場面が記入できるように、複数の移動経路枠２３ａ、２３ｂ、２３ｃ、２３ｄが用意されている。
図１に示すように、背景枠２１には背景画３１を記入する。各画像パーツ枠２２ａ、２２ｂ、２２ｃには、例えば画像パーツである太陽マーク３２、雷マーク３３、笑顔マーク３４を左上の画像パーツ枠２２ａから順に記入する。移動経路枠２３には画像パーツの移動経路を最上の移動経路枠２３ａから順に記入する。本実施形態では、太陽マーク３２、雷マーク３３、笑顔マーク３４をそれぞれ青シール３５、黄シール３８、赤シール３６というシンボルに置き換えて記入している。各画像パーツとシンボルとの対応関係は、画像パーツが記入された画像パーツ枠の位置によって予め定められている。
【０００９】
本実施形態では、シンボルとして色付きシールを貼付しているが、シンボルは、ＱＲコード等の二次元コードや手書き数字など、画像認識に適したシンボルであれば何を用いてもかまわない。この場合、後述する移動経路解析手段に、シンボルの種類に応じた認識手段（例えば二次元コード認識手段、手書き文字認識手段）を備えて、シンボルを認識可能にする必要がある。
移動経路枠２３に記入された各シールの位置は、合成動画における画像パーツの出現位置を表している。例えば、移動経路枠２３ａにおける青シール３５ａの位置座標が（５，５）であるとすると、合成動画では背景画３１の相当する位置に太陽マーク３２が出現する。
移動経路枠２３には各シンボルの移動経路を示す符号も記入する。例えば、移動経路枠２３ｂには赤シール３６ｂの移動経路が、始点の位置座標（６，１０）、終点の位置座標（１０，１０）、画素数４の黒色の矢印３７として記入されている。
【００１０】
本実施形態では、移動経路を示す符号として黒色の矢印を用いたが、移動方向、移動態様等が示されるものであれば、矢印以外の符号を用いることも可能である。また、点線矢印や破線矢印、赤矢印や青矢印といった矢印の種類に応じて、画像パーツの移動速度を変更したり、画像パーツが回転しながら移動するようにしたりする等、移動態様の制御を行うようにしても良い。
また、専用用紙２０へは、必ずしも手書きで記入しなければならないわけではなく、写真や絵を貼付して動画生成に必要な情報を記すようにしてもよい。
【００１１】
［動画生成システムの構成］
上述のように必要な情報が記入された専用用紙２０を用いて動画を生成する動画生成システムについて説明する。図２は、第一の実施形態に係る動画生成システム１０のハードウェア構成図である。
動画生成システム１０は、動画生成システム１０全体の動作を制御するＣＰＵ１１と、動画生成プログラムや読み取り画像等を記憶する主記憶装置１２と、生成された動画を記憶する外部記憶装置１３と、動画生成システム１０の動作を外部より指示するための操作部１４と、操作部１４による指示内容や生成された動画を表示する表示装置１５と、動画を生成するための情報が記録された専用用紙２０の内容を読み取る読み取り装置１６と、専用用紙２０等を印刷する印刷装置１７と、を備える。また、これらはバス１８によって接続されている。
読み取り装置１６としては、例えばフラットヘッドスキャナが挙げられるが、この他にもデジタルカメラ、ＭＦＰのスキャナなどを用いることも可能である。ただし、各機器に合わせた前処理が必要である。
【００１２】
［動画生成方法］
上述の動画生成システム１０により動画を生成する方法について説明する。動画の生成は、主記憶装置１２に記憶された動画生成プログラムが行う。
まず、図１に示すように、動画生成に必要な情報が記入された専用用紙２０を読み取り装置１６によって読み取り、画像として主記憶装置１２に保存する。
動画生成システム１０の画像分割手段が、保存された画像から、背景画像、画像パーツ及び移動経路画像を分割する。図３は分割画像を示す図である。画像は読み取り装置１６及び読み取り解像度などを固定して、画像の座標に基づいて切り離して分割する。例えば、読み取られた画像の左上の位置座標を（ｘ，ｙ）＝（０，０）と設定する。太陽画像４２の場合、左上の位置座標が（ｘ，ｙ）＝（５，５）、右下の位置座標が（ｘ，ｙ）＝（５０，５０）となるような矩形として切り離す。このように、予め定められた位置座標に基づいて画像を切り離す方法以外にも、タイミングマークを用いて画像を切り離す方法や、各枠の枠線を認識して切り離す方法もある。このようにして、背景画像４１、画像パーツである太陽画像４２、雷画像４３、笑顔画像４４、移動経路画像４５ａ〜４５ｄを切り離す。
【００１３】
続いて、動画生成システム１０の移動経路解析手段が、移動経路画像４５ａ〜４５ｄを順に解析する。まず、色によるシンボルの位置座標解析を行う。移動経路画像４５ａ〜４５ｄから、青シール画像４６、赤シール画像４７、黄シール画像４９を認識し、それらの位置座標を各画像パーツの表示位置として保存する。
例えば、青シール画像４６の位置座標を移動経路画像４５ａから４５ｄまで順番に、
（ｘ，ｙ）＝（５，５），（５，５），なし，なし
赤シール画像４７の位置座標を移動経路画像４５ａから４５ｄまで順番に、
（ｘ，ｙ）＝なし，（５，１０），（１０，１０），（１０，１０）
黄シール画像４９の位置座標を移動経路画像４５ａから４５ｄまで順番に、
（ｘ，ｙ）＝なし，なし，（２０，５），（２０，５）
のように認識して、主記憶装置１２に保存する。
各シンボルの位置座標を保存した後、各移動経路画像４５の青シール画像４６、赤シール画像４７、黄シール画像４９の画素を白画素に置き換える。
【００１４】
次に矢印画像４８、５０の解析を行う。本実施形態の移動経路画像４５ｂ、４５ｄには黒画素の矢印画像のみが存在するので、黒画素の連結成分を解析して、矢印画像の始点と終点の位置座標と始点から終点までの画素数を主記憶装置１２に保存する。
例えば、移動経路画像４５ｂの矢印画像４８については、始点（６，１０）、終点（１０，１０）、画素数４、というように、移動経路画像４５ｄの矢印画像５０については、始点（２０，６）、終点（１５，１０）、画素数４、というように認識して保存する。
ここで、２以上の矢印画像の黒画素が互いに接触したり交差したりしている場合は、接触画素の前２画素における矢印画像の進行方向と同様の方向に矢印が進むと仮定して解析を続ける。また、矢印画像が直線的でない場合には、例えば始点から終点まで１画素毎に位置座標を保存するようにすればよい。
【００１５】
矢印画像に対し、同一の移動経路画像内に存在するシール画像の関連付けを行う。具体的には、矢印画像の始点座標とシール画像の位置座標とを比較して、座標が最も近いもの同士を組み合わせ、それら組み合わせを保存する。本実施形態では、移動経路画像４５ｂの矢印画像４８と赤シール画像４７ｂ、移動経路画像４５ｄの矢印画像５０と黄シール画像４９ｄのそれぞれの座標情報及び画素数を対応づけて保存する。
続いて動画生成システム１０の画像合成手段が、主記憶装置１２に保存された位置座標等の情報と画像パーツ、背景画像を使って合成画像を作成する。図４〜図１３は画像合成手段により合成された画像を示す図である。
まず、移動経路画像４５ａに関する保存情報から合成画像６１を作成する。主記憶装置１２に保存された青シール画像４６ａの位置座標を読み出し、該位置座標に相当する背景画像４１上に太陽画像４２を合成して合成画像６１を作成する（図４）。
次に、移動経路画像４５ｂに関する保存情報から合成画像６２を作成する。主記憶装置１２に保存された青シール画像４６ｂ、赤シール画像４７ｂの位置座標を読み出し、該位置座標に相当する背景画像４１上に太陽画像４２、笑顔画像４４を合成して合成画像６２を作成する（図５）。
【００１６】
ここで、移動経路画像４５ｂには矢印画像４８があるため、矢印画像４８と組み合わせられた赤シール画像４７ｂに対応する笑顔画像４４の移動を表現する画像も作成する。移動経路画像４５ｂに関する保存情報から矢印画像４８の座標情報と画素数を読み出し、笑顔画像４４を始点から終点まで移動するように、合計４枚の合成画像６２〜６５を作成する（図５〜８）。
移動経路画像４５ｃに関する保存情報、移動経路画像４５ｄに関する保存情報からも同様に合成画像６６〜７０を作成する（図９〜１３）。
最後にこれらの画像を動画またはアニメーションｇｉｆなどに変換して、動画を生成する。
【００１７】
［動画生成方法（フローチャート）］
以上説明した動画生成システム１０の動作について、図１４、図１５に基づいて説明する。図１４は動画生成システム１０の動作を説明するためのフローチャート図である。図１５は、動画生成システム１０中の移動経路解析処理のフローチャート図である。
動画を生成するにあたり必要な情報が記入された専用用紙２０を読み取り装置１６で読み込み、画像として主記憶装置１２に保存する（ステップＳ１）。画像分割手段が、保存された画像から背景画像４１と、画像パーツ（太陽画像４２、雷画像４３、笑顔画像４４）と、移動経路画像４５ａ〜４５ｄを分割する（ステップＳ２）。
移動経路解析手段が画像パーツの移動経路を解析する（ステップＳ３）。具体的には、図１５に示すように移動経路画像からシンボル（青シール画像４６、赤シール画像４７、黄シール画像４９）の位置座標を解析して、その結果を保存する（ステップＳ３１）。さらに、移動経路画像のシンボルを白画素に置き換える（ステップＳ３２）。移動経路画像４５ｂ、４５ｄに残された矢印画像４８、５０の始点・終点の位置座標及び画素数を解析して、その結果を保存する（ステップＳ３３）。矢印画像の始点に最も近いシンボルと矢印画像とを対応づける（ステップＳ３４）。移動経路画像に関する保存情報から合成画像を作成する（ステップＳ４）。矢印画像のない移動経路画像からは１枚の合成画像を作成する。矢印画像のある移動経路画像からは、矢印画像の画素数に応じた枚数の合成画像を作成する。作成した複数の合成画像から、動画を生成する（ステップＳ５）。
【００１８】
以上のように本発明によれば、専用用紙に、背景、画像パーツの絵を記入するか又は写真を貼付し、さらに画像パーツの移動経路を記入するだけで、簡単に合成動画を作成できる。また、読み取り手段を用意すれば、動画作成に必要なデータを紙媒体として持ち運ぶことができる。また、本発明の動画生成システムは画像形成装置に組み込むことができる。また、本発明の動画生成プログラムをコンピュータ読み取り可能な記録媒体に記録することによって、プログラムの再配布が可能となる。
また、印刷装置１７により、動画生成前の合成画像、あるいは生成された動画をコマ毎に印刷するようにすれば、合成画像をコマ毎に確認することが可能となるとともに、いわゆるパラパラ漫画を簡単に作成することも可能となる。
【図面の簡単な説明】
【００１９】
【図１】専用用紙を示す図である。
【図２】動画生成システムのハードウェア構成図である。
【図３】分割画像を示す図である。
【図４】合成された画像を示す図である。
【図５】合成された画像を示す図である。
【図６】合成された画像を示す図である。
【図７】合成された画像を示す図である。
【図８】合成された画像を示す図である。
【図９】合成された画像を示す図である。
【図１０】合成された画像を示す図である。
【図１１】合成された画像を示す図である。
【図１２】合成された画像を示す図である。
【図１３】合成された画像を示す図である。
【図１４】動画生成システムの動作を説明するためのフローチャートである。
【図１５】移動経路解析処理のフローチャートである。
【符号の説明】
【００２０】
１０…動画生成システム、１１…ＣＰＵ、１２…主記憶装置、１３…外部記憶装置、１４…操作部、１５…表示装置、１６…装置、１７…印刷装置、１８…バス、２０…専用用紙、２１…背景枠、２２…画像パーツ枠、２３…移動経路枠、３１…背景画、３２…太陽マーク、３３…雷マーク、３４…笑顔マーク、３５…青シール、３６…赤シール、３７…矢印、３８…黄シール、３９…矢印、４１…背景画像、４２…太陽画像、４３…雷画像、４４…笑顔画像、４５…移動経路画像、４６…青シール画像、４７…赤シール画像、４８…矢印画像、４９…黄シール画像、５０…矢印画像、６１〜７０…合成画像
【図１】
2010124115.tif 000003
【図２】
2010124115.tif 000004
【図３】
2010124115.tif 000005
【図４】
2010124115.tif 000006
【図５】
2010124115.tif 000007
【図６】
2010124115.tif 000008
【図７】
2010124115.tif 000009
【図８】
2010124115.tif 000010
【図９】
2010124115.tif 000011
【図１０】
2010124115.tif 000012
【図１１】
2010124115.tif 000013
【図１２】
2010124115.tif 000014
【図１３】
2010124115.tif 000015
【図１４】
2010124115.tif 000016
【図１５】
2010124115.tif 000017